(57)【要約】幾つかの実施形態として、無線通信装置のグループとの通信をスケジューリングする装置、システム及び／又は方法がある。例えば、無線通信ユニットは、無線通信ユニットから複数の無線通信装置の少なくとも１つのグループへの同時の送信のために割り当てられるダウンリンク期間のインジケーションを含む少なくとも１つのスケジューリングフレームを送信してよい。無線通信ユニットは、ダウンリンク期間の間にグループの複数の無線通信装置へ複数の異なった無線通信伝送を同時に送信する。他の実施形態についても記載及び請求される。
2013514724.tif 000002
【特許請求の範囲】
【請求項１】
無線通信ユニットを有し、
前記無線通信ユニットは、前記無線通信ユニットから複数の無線通信装置の少なくとも１つのグループへの同時の送信のために割り当てられるダウンリング期間のインジケーションを含む少なくとも１つのスケジューリングフレームを送信し、
前記無線通信ユニットは、前記ダウンリンク期間の間に前記グループの前記複数の通信装置へ複数の異なった無線通信伝送を同時に送信する、
装置。
【請求項２】
前記スケジューリングフレームは、前記無線通信装置のグループから前記無線通信ユニットへの送信のために割り当てられる少なくとも１つのアップリンク期間のインジケーションを含む、
請求項１に記載の装置。
【請求項３】
前記無線通信ユニットは、前記アップリンク期間の間に前記複数の無線通信装置から複数の異なったアップリンク伝送を同時に受信する、
請求項２に記載の装置。
【請求項４】
前記無線通信ユニットは、前記グループへ割り当てられたグループアドレスを含むアドレスフィールドを有する前記スケジューリングフレームを送信する、
請求項１に記載の装置。
【請求項５】
前記スケジューリングフレームを送信する前に、前記無線通信ユニットは、少なくとも前記スケジューリングフレームの存続期間と前記ダウンリンク期間とを含む持続時間の間無線通信媒体をリザーブする、
請求項１に記載の装置。
【請求項６】
前記無線通信ユニットは、前記複数の無線通信装置を該複数の無線通信装置に対応するトラフィック仕様情報に基づき前記少なくとも１つのグループへ割り当てる、
請求項１に記載の装置。
【請求項７】
無線通信装置に対応する前記トラフィック仕様情報は、当該無線通信装置と前記無線通信ユニットとの間のトラフィックフローのトラフィックパターン、及び前記トラフィックフローのクオリティ・オブ・サービスのうち少なくとも１つを含み、前記無線通信ユニットは、必要とされるトラフィックパターン及び必要とされるクオリティ・オブ・サービスのうち少なくとも１つに基づき当該無線通信装置を前記グループに割り当てる、
請求項６に記載の装置。
【請求項８】
前記無線通信ユニットは、前記グループに割り当てられる前記複数の無線通信装置へグループ割当情報を送信し、該グループ割当情報は、前記グループに割り当てられたグループアドレスを含み、前記無線通信ユニットは、前記グループアドレスを含むアドレスフィールドを有する前記スケジューリングフレームを送信する、
請求項６に記載の装置。
【請求項９】
前記スケジューリングフレームは、パワーセーブ・マルチポール・フレームを有する、
請求項１に記載の装置。
【請求項１０】
前記無線通信ユニットは、空間分割多重アクセス送信の形で前記複数の伝送を送信する、
請求項１に記載の装置。
【請求項１１】
無線通信ユニットから複数の他の無線通信装置の少なくとも１つのグループへの同時の送信のために割り当てられるダウンリング期間のインジケーションを含む少なくとも１つのスケジューリングフレームを送信するステップと、
前記ダウンリンク期間の間に前記無線通信ユニットから前記他の無線通信装置のグループへ複数の異なった無線通信伝送を同時に送信するステップと
を有する方法。
【請求項１２】
前記スケジューリングフレームは、前記無線通信装置のグループから前記無線通信ユニットへの送信のために割り当てられる少なくとも１つのアップリンク期間のインジケーションを含み、
当該方法は、前記アップリンク期間の間に前記複数の無線通信装置から複数の異なったアップリンク伝送を同時に受信するステップを有する、
請求項１１に記載の方法。
【請求項１３】
前記グループへ割り当てられたグループアドレスを含むアドレスフィールドを有する前記スケジューリングフレームを送信するステップ
を有する請求項１１に記載の方法。
【請求項１４】
前記スケジューリングフレームを送信する前に、少なくとも前記スケジューリングフレームの存続期間と前記ダウンリンク期間とを含む持続時間の間無線通信媒体をリザーブするステップ
を有する請求項１１に記載の方法。
【請求項１５】
前記複数の無線通信装置を該複数の無線通信装置に対応するトラフィック仕様情報に基づき前記少なくとも１つのグループへ割り当てるステップ
を有する請求項１１に記載の方法。
【請求項１６】
前記スケジューリングフレームは、パワーセーブ・マルチポール・フレームを有する、
請求項１１に記載の方法。
【請求項１７】
１又はそれ以上のアンテナと、無線通信ユニットとを有する少なくとも１つの無線通信装置を有し、
前記無線通信ユニットは、前記無線通信ユニットから複数の無線通信装置の少なくとも１つのグループへの同時の送信のために割り当てられるダウンリング期間のインジケーションを含む少なくとも１つのスケジューリングフレームを送信し、
前記無線通信ユニットは、前記ダウンリンク期間の間に前記グループの前記複数の通信装置へ複数の異なった無線通信伝送を同時に送信する、
システム。
【請求項１８】
前記スケジューリングフレームは、前記無線通信装置のグループから前記無線通信ユニットへの送信のために割り当てられる少なくとも１つのアップリンク期間のインジケーションを含む、
請求項１７に記載のシステム。
【請求項１９】
前記無線通信ユニットは、前記グループへ割り当てられたグループアドレスを含むアドレスフィールドを有する前記スケジューリングフレームを送信する、
請求項１７に記載のシステム。
【請求項２０】
前記スケジューリングフレームを送信する前に、前記無線通信ユニットは、少なくとも前記スケジューリングフレームの存続期間と前記ダウンリンク期間とを含む持続時間の間無線通信媒体をリザーブする、
請求項１７に記載のシステム。
【発明の詳細な説明】
【背景技術】
【０００１】
幾つかの無線通信装置及び／又はシステムは、適切なパワーセーブ方式を実施することがある。
【０００２】
例えば、パワーセーブ・マルチポール（Power  Save  Multi-Poll）（ＰＳＭＰ）方式に従って、第１の装置、例えばコントローラ又はネットワークのコーディネータ（例えば、基本サービスセット（Basic  Service  Set）（ＢＳＳ）のアクセスポイント（Access  Point）（ＡＰ））は、第２の装置、例えば局へ、局がＡＰから伝送を受信する態勢ができている１又はそれ以上のダウンリンク時間期間、及び／又は局がＡＰへ伝送を送信することができる１又はそれ以上のアップリンク時間期間をスケジューリングするＰＳＭＰアクションフレームを送信してよい。
【図面の簡単な説明】
【０００３】
【図１】幾つかの実施例に従うシステムの略ブロック図である。
【図２】幾つかの実施例に従うスケジューリングフレームの構成要素の概略図である。
【図３】幾つかの実施例に従う、無線通信装置と他の無線通信装置の少なくとも１つのグループとの間の通信のシーケンスの概略図である。
【図４】幾つかの実施例に従う、無線通信装置のグループとの通信をスケジューリングする方法の略フローチャートである。
【図５】幾つかの実施例に従う製品の概略図である。
【発明を実施するための形態】
【０００４】
説明の簡潔さ及び明りょうさのために、図において示されている要素は必ずしも実寸通りではない。例えば、要素のうちの幾つかの寸法は、提示の明りょうさのために、他の要素に対して誇張されることがある。更に、参照符号は、対応する又は同じ要素を示すために、図間で繰り返されることがある。
【０００５】
以下の詳細な説明において、多数の具体的な詳細は、幾つかの実施形態の完全な理解を提供するために示されている。しかし、当業者には理解されるように、幾つかの実施形態は、それらの具体的な詳細によらずに実施されてよい。他の例において、従来の方法、プロシージャ、構成要素、ユニット及び／又は回路は、説明を不明りょうにしないよう詳細には記載されていない。
【０００６】
例えば、「処理する」、「算出する」、「計算する」、「決定する」、「確立する」、「解析する」、「確認する」等の語を用いる本願における議論は、コンピュータレジスタ及び／又はメモリ内の物理的な（例えば、電子的な）量として表されるデータを、コンピュータのレジスタ及び／又はメモリ、あるいは、演算及び／又は処理を実行する命令を記憶する他の情報記憶媒体内の物理的な量として同様に表される他のデータへと操作及び／又は変換するコンピュータ、コンピュータプラットフォーム、コンピュータシステム、又は他の電子計算装置演算及び／又は処理に言及してよい。
【０００７】
本願で使用される語「パワーセーブ」及び「パワーセーブモード」は、例えば、装置及び／又は構成要素への電流を低減し、シャットダウンし、パワーオフし、ターンオフし及び／又はスイッチオフすること、且つ／あるいは、例えば無線通信信号の完全な受信、操作、復号化、送信及び／又は処理のために装置及び／又は構成要素の完全及び／又は通常動作に必要とされるよりも電力消費量が少ないスリープモード、低電力モード、スタンバイモード、アイドルモード及び／又は何らかの他の動作モードで動作するよう装置及び／又は構成要素を切り替えることに言及してよい。
【０００８】
本願で使用される語「レギュラーパワー」及び「レギュラーパワーモード」は、例えば、例えば無線通信信号の完全な受信、操作、復号化、送信及び／又は処理のために装置及び／又は構成要素の完全及び／又は通常動作を可能にするあらゆる動作モードに言及してよい。
【０００９】
幾つかの実施形態は、例えば、パーソナルコンピュータ（ＰＣ）、デスクトップコンピュータ、モバイルコンピュータ、ラップトップコンピュータ、ノートブックコンピュータ、タブレットコンピュータ、サーバーコンピュータ、ハンドヘルドコンピュータ、ハンドヘルド装置、パーソナルデジタルアシスタント（ＰＤＡ）装置、ハンドヘルドＰＤＡ装置、オンボード装置、オフボード装置、ハイブリッド装置、車用装置、非車用装置、モバイル又はポータブル装置、コンシューマ装置、非モバイル又は非ポータブル装置、無線通信局、無線通信装置、無線アクセスポイント（ＡＰ）、有線又は無線ルータ、有線又は無線モデム、ビデオ装置、オーディオ装置、オーディオ・ビデオ（Ａ／Ｖ）装置、セットトップボックス（ＳＴＢ）、ブルーレイディスク（ＢＤ）プレイヤー、ＢＤレコーダ、デジタルビデオディスク（ＤＶＤ）プレイヤー、高解像度（ＨＤ）ＤＶＤプレイヤー、ＤＶＤレコーダ、ＨＤ−ＤＶＤレコーダ、パーソナルビデオレコーダ（ＰＶＲ）、放送ＨＤレコーダ、ビデオソース、オーディオソース、ビデオシンク、オーディオシンク、ステレオチューナ、放送無線受信機、フラットパネルディスプレイ、パーソナルメディアプレイヤー（ＰＭＰ）、デジタルビデオカメラ（ＤＶＣ）、デジタルオーディオプレイヤー、スピーカ、オーディオ受信機、オーディオ増幅器、ゲーム装置、データソース、データシンク、デジタル静止カメラ（ＤＳＣ）、有線又は無線ネットワーク、無線エリアネットワーク、無線ビデオエリアネットワーク（ＷＶＡＮ）、ローカルエリアネットワーク（ＬＡＮ）、無線ＬＡＮ（ＷＬＡＮ）、パーソナルエリアネットワーク（ＰＡＮ）、無線ＰＡＮ（ＷＰＡＮ）、既存のＩＥＥＥ８０２．１１（ＩＥＥＥ８０２．１１−１９９９：Wireless  LAN  Medium  Access  Control  (MAC)  and  Physical  Layer  (PHY)  Specifications）、８０２．１１ａ、８０２．１１ｂ、８０２．１１ｇ、８０２．１１ｈ、８０２．１１ｊ、８０２．１１ｎ、８０２．１６、８０２．１６ｄ、８０２．１６ｅ、８０２．１６ｆ標準（「ＩＥＥＥ８０２標準」）且つ／あるいはそれらの将来のバージョン及び／又は派生物に従って動作する装置及び／又はネットワーク、既存のワイヤレス・ギガビット・アライアンス（Wireless-Gigabit-Alliance）（ＷＧＡ）及び／又はワイヤレスＨＤ規格且つ／あるいはそれら将来のバージョン及び／又は派生物に従って動作する装置及び／又はネットワーク、上記のネットワークの部分であるユニット及び／又は装置、単方向及び／又は双方向無線通信システム、セルラー無線電話通信システム、携帯電話機、無線電話機、パーソナル通信システム（ＰＣＳ）装置、無線通信装置を組み込むＰＤＡ装置、モバイル又はポータブル全地球測位システム（ＧＰＳ）装置、ＧＰＳ受信機若しくはトランシーバ又はチップを組み込む装置、ＲＦＩＤ素子又はチップを組み込む装置、多入力多出力（ＭＩＭＯ）トランシーバ又は装置、単入力多出力（ＳＩＭＯ）トランシーバ又は装置、多入力単出力（ＭＩＳＯ）トランシーバ又は装置、１又はそれ以上の内部アンテナ及び／又は外部アンテナを有する装置、デジタルビデオ放送（ＤＶＢ）装置又はシステム、マルチスタンダード無線装置又はシステム、有線又は無線ハンドヘ��ド装置（例えば、ブラックベリー、パームトレオ）、無線アプリケーションプロトコル（ＷＡＰ）装置等の様々な装置及びシステムとともに使用されてよい。
【００１０】
幾つかの実施形態は、例えば、無線周波数（ＲＦ）、赤外線（ＩＲ）、周波数分割多重化（ＦＤＭ）、直交ＦＤＭ（ＯＦＤＭ）、時分割多重化（ＴＤＭ）、時分割多重アクセス（ＴＤＭＡ）、拡張ＴＤＭＡ（Ｅ−ＴＤＭＡ）、汎用パケット無線サービス（ＧＰＲＳ）、拡張ＧＰＲＳ、符号分割多重アクセス（ＣＤＭＡ）、ワイドバンドＣＤＭＡ（ＷＣＤＭＡ）、ＣＤＭＡ２０００、シングルキャリアＣＤＭＡ、マルチキャリアＣＤＭＡ、マルチキャリア変調（ＭＤＭ）、離散マルチトーン（ＤＭＴ）、ブルートゥース、全地球測位システム（ＧＰＳ）、Ｗｉ−Ｆｉ、Ｗｉ−Ｍａｘ、ＺｉｇＢｅｅ、ウルトラワイドバンド（ＵＷＢ）、グローバルシステム・フォー・モバイルコミュニケーション（ＧＳＭ）、２Ｇ、２．５Ｇ、３Ｇ、３．５Ｇ、ＧＳＭ進化型高速データレート（Enhanced  Data  rates  for  GSM  Evolution）（ＥＤＧＥ）等の１又はそれ以上のタイプの無線通信信号及び／又はシステムとともに使用されてよい。他の実施形態は、様々な他の装置、システム及び／又はネットワークにおいて使用されてよい。
【００１１】
本願で使用される語「無線装置」は、例えば、無線通信が可能な装置、無線通信が可能な通信装置、無線通信が可能な通信局、無線通信が可能なポータブル又は非ポータブル装置等を含む。幾つかの実施例では、無線装置は、コンピュータ又はコンピュータに付随する周辺機器と一体化される周辺機器であっても、又はそのような周辺機器を含んでもよい。幾つかの実施例では、語「無線装置」は、任意に、無線サービスを含んでよい。
【００１２】
幾つかの実施例は、適切な限定的な範囲の又は短距離の無線通信ネットワーク、例えば、無線エリアネットワーク、ピコネット、ＷＰＡＮ、ＷＶＡＮ等とともに使用されてよい。
【００１３】
ここで、図１を参照すると、幾つかの実施例に従うシステム１００のブロック図が図式的に表されている。
【００１４】
幾つかの実施例では、システム１００は、１又はそれ以上の無線通信リンク、例えば無線チャネル、ＩＲチャネル、ＲＦチャネル、ワイヤレス・フィデリティ（ＷｉＦｉ）チャネル等にわたってコンテンツ、データ、情報及び／又は信号をやり取りすることができる１又はそれ以上の無線通信装置、例えば無線通信装置１０２、１４４、１４６、１４８、１３４、１３６及び／又は１３８を含む無線エリアネットワーク及び／又は基本サービスセット（ＢＳＳ）を有してよい。システム１００の１又はそれ以上の要素は、任意に、如何なる適切な有線通信リンクわたっても通信可能であってよい。
【００１５】
幾つかの実施例では、無線通信装置１０２、１４４、１４６、１４８、１３４、１３６及び／又は１３８は、例えば、ＰＣ、デスクトップコンピュータ、モバイルコンピュータ、ラップトップコンピュータ、ノートブックコンピュータ、タブレットコンピュータ、サーバーコンピュータ、ハンドヘルドコンピュータ、ハンドヘルド装置、ＰＤＡ装置、ハンドヘルドＰＤＡ装置、オンボード装置、オフボード装置、ハイブリッド装置（例えば、携帯電話機能をＰＤＡ装置機能と組み合わせたもの）、コンシューマ装置、車用装置、非車用装置、モバイル又はポータブル装置、非モバイル又は非ポータブル装置、携帯電話機、ＰＣＳ装置、無線通信装置を組み込むＰＤＡ装置、モバイル又はポータブルＧＰＳ装置、ＤＶＢ装置、比較的小さいコンピュータ装置、非デスクトップコンピュータ、キャリー・スモール・ライブ・ラージ（Carry  Small  Live  Large）（ＣＳＬＬ）装置、ウルトラモバイル装置（ＵＭＤ）、ウルトラモバイルＰＣ（ＵＭＰＣ）、モバイルインターネット装置（ＭＩＤ）、オリガミ（Origami）装置又はコンピュータ装置、ダイナミカリ・コンポーザブル・コンピューティング（Dynamically  Composable  Computing）（ＤＣＣ）をサポートする装置、コンテキストアウェア（context-aware）装置、ビデオ装置、オーディオ装置、Ａ／Ｖ装置、ＳＴＢ、ＢＤプレイヤー、ＢＤレコーダ、ＤＶＤプレイヤー、ＨＤ−ＤＶＤプレイヤー、ＤＶＤレコーダ、ＨＤ−ＤＶＤレコーダ、ＰＶＲ、放送ＨＤ受信機、ビデオソース、オーディオソース、ビデオシンク、オーディオシンク、ステレオチューナ、放送無線受信機、フラットパネルディスプレイ、ＰＭＰ、ＤＶＣ、デジタルオーディプレイヤー、スピーカ、オーディオ受信機、ゲーム装置、オーディオ増幅器、データソース、データシンク、ＤＳＣ、メディアプレイヤー、スマートフォン、テレビ受像機、音楽プレイヤー等を有してよい。
【００１６】
幾つかの実施例では、無線通信装置１０２、１４４、１４６、１４８、１３４、１３６及び／又は１３８は、例えば以下で記載されるように、システム１００の他の無線通信装置と通信するよう無線通信ユニット１０８を有してよい。無線通信装置１０２、１４４、１４６、１４８、１３４、１３６及び／又は１３８は、例えば、プロセッサ１２０、入力ユニット１１２、出力ユニット１１４、メモリユニット１１８、及び記憶ユニット１１６の１又はそれ以上を更に有してよい。無線通信装置１０２、１４４、１４６、１４８、１３４、１３６及び／又は１３８は、任意に、他の適切なハードウェア構成要素及び／又はソフトウェア構成要素を有してよい。
【００１７】
幾つかの実施例では、無線通信装置１０２、１４４、１４６、１４８、１３４、１３６及び／又は１３８の構成要素の一部又は全ては、共通の筐体又はパッケージングに収容されてよく、１又はそれ以上の有線又は無線リンクにより相互接続され又は任意に関連付けられてよい。他の実施形態では、無線通信装置１０２、１４４、１４６、１４８、１３４、１３６及び／又は１３８の構成要素は、複数の又は別々の装置の間で分配されてよい。
【００１８】
プロセッサ１２０は、例えば、中央演算処理装置（ＣＰＵ）、デジタル信号プロセッサ（ＤＳＰ）、１又はそれ以上のプロセッサコア、単一コアプロセッサ、デュアルコアプロセッサ、多重コアプロセッサ、マイクロプロセッサ、ホストプロセッサ、コントローラ、複数のプロセッサ又はコントローラ、チップ、マイクロチップ、１又はそれ以上の回路、回路構成、論理ユニット、集積回路（ＩＣ）、特定用途向けＩＣ（ＡＳＩＣ）、あるいは、何らかの他の適切な多目的又は特定プロセッサ又はコントローラを有する。プロセッサ１２０は、例えば、無線通信装置１０２のオペレーティングシステム（ＯＳ）の、及び／又は１若しくはそれ以上の適切なアプリケーションの命令を実行する。
【００１９】
入力ユニット１１２は、例えば、キーボード、キーパッド、マウス、タッチパッド、トラックボール、スタイラス、マイクロフォン、又は他の適切な指示装置若しくは入力装置を有する。
【００２０】
出力ユニット１１４は、例えば、モニタ、スクリーン、フラットパネルディスプレイ、陰極線管（ＣＲＴ）ディスプレイユニット、液晶ディスプレイ（ＬＣＤ）ユニット、プラズマディスプレイユニット、１若しくはそれ以上のオーディオスピーカ若しくはイヤフォン、又は他の適切な出力装置を有する。
【００２１】
メモリユニット１１８は、例えば、ランダムアクセスメモリ（ＲＡＭ）、読出専用メモリ（ＲＯＭ）、動的ＲＡＭ（ＤＲＡＭ）、同期ＤＲＡＭ（ＳＤＲＡＭ）、フラッシュメモリ、揮発性メモリ、不揮発性メモリ、キャッシュメモリ、バッファ、ショートターム・メモリユニット、ロングターム・メモリユニット、又は他の適切なメモリユニットを有する。記憶ユニット１１６は、例えば、ハードディスクドライブ、フロッピー（登録商標）ディスクドライブ、コンパクトディスク（ＣＤ）ドライブ、ＲＯＭドライブ、ＤＶＤドライブ、又は他の適切なリムーバブル若しくは非リムーバブル記憶ユニットを有する。メモリユニット１１８及び／又は記憶ユニット１１６は、例えば、無線通信装置１０２によって処理されるデータを記憶してよい。
【００２２】
幾つかの実施例では、無線通信ユニット１０８は、例えば、無線通信信号、ＲＦ信号、フレーム、ブロック、伝送ストリーム、パケット、メッセージ、データアイテム、及び／又はデータを送信及び／又は受信することができる１又はそれ以上の無線送信機、受信機及び／又はトランシーバを有する。例えば、無線通信ユニット１０８は、無線ネットワークインターフェースカード（ＮＩＣ）等を有しても、又はその一部として実施されてもよい。
【００２３】
無線通信ユニット１０８は、１若しくはそれ以上のアンテナ又はアンテナ１１０の１若しくはそれ以上の組を有しても、あるいは、それらと結合されてもよい。アンテナ１１０は、例えば、内部及び／又は外部ＲＦアンテナ、ダイポールアンテナ、モノポールアンテナ、無指向性アンテナ、終端給電（end  fed）アンテナ、円偏波アンテナ、マイクロストリップアンテナ、ダイバーシティアンテナ、あるいは、無線通信信号、ブロック、フレーム、伝送ストリーム、パケット、メッセージ及び／又はデータを送信及び／又は受信するのに適した他のタイプのアンテナを有してよい。
【００２４】
幾つかの実施例では、システム１００の無線通信装置のうち少なくとも１つ、例えば無線通信装置１０２は、例えばＩＥＥＥ８０２．１１及び／又はＷＧＡ規格によって定義されるような、アクセスポイント（ＡＰ）、コントロールポイント（ＣＰ）、基地局（ＢＳ）又は何らかのコーディネータ若しくはコントローラの機能を実行してよい。
【００２５】
幾つかの実施例では、無線通信ユニット１０８は、システム１００の２又はそれ以上の他の装置へ伝送を同時に送信し、且つ／あるいは、システム１００の２又はそれ以上の他の装置から伝送を同時に受信する能力を有してよい。
【００２６】
幾つかの実施形態において、無線通信ユニット１０８は、空間分割多重アクセス（ＳＤＭＡ）通信を実行する能力を有してよい。例えば、無線通信ユニット１０８は、アンテナ１００を介して略同時に異なった信号を送信することによってダウンリンクＳＤＭＡ伝送を送信してよく、これにより、結合された送信信号は、同じ周波数で実質的に異なった方向において送信される、システム１００の２又はそれ以上の他の通信装置によって受信されるよう意図された異なった信号を生じさせる。
【００２７】
幾つかの実施例では、無線通信ユニット１０８は、システム１００の２又はそれ以上の他の装置からの異なった信号を含むアップリンクＳＤＭＳ伝送を受信してよい。
【００２８】
２若しくはそれ以上の異なった無線通信装置への送信及び／又は２若しくはそれ以上の無線通信装置からの受信を参照して本願で使用される語「略同時に」は、２又はそれ以上の伝送を送信及び／又は受信することに言及してよく、夫々の送信及び／又は受信の少なくとも一部は同時に起こるが、異なった送信及び／又は受信が同時に開始及び／又は終了しなければならないことを（そうであったとしても）示唆するわけではない。
【００２９】
幾つかの実施例では、無線通信ユニット１０８は、例えば以下で詳細に記載されるように、システム１００の複数の無線通信装置の少なくとも１つのグループ、例えばグループ１３０及び／又は１４０と通信してよい。
【００３０】
幾つかの実施例では、グループ１４０は、無線通信ユニット１０８との同時のダウンリンク及び／又はアップリンク無線通信に適したシステム１００の第１の複数の無線通信装置、例えば無線通信装置１４４、１４６及び／又は１４８を有してよく、且つ／あるいは、グループ１３０は、無線通信ユニット１０８との同時のダウンリンク及び／又はアップリンク無線通信に適したシステム１００の第２の複数の無線通信装置、例えば無線通信装置１３４、１３６及び／又は１３８を有してよい。例えば、グループ１３０及び／又は１４０は、例えば以下で記載されるように、無線通信ユニット１０８との単方向（例えば、装置１０２へのアップリンク方向及び／又は装置１０２からのダウンリンク方向における）及び／又は双方向のＳＤＭＡ通信に適した装置のＳＤＭＡグループを有してよい。
【００３１】
幾つかの実施例では、グループ１３０及び／又は１４０の無線通信装置は、何らかの適切な基準（例えば、１又はそれ以上のトラフィック仕様（traffic-specification）（ＴＳＰＥＣ）要件（例えば、クオリティ・オブ・サービス（ＱｏＳ）要件、バンド幅要件、トラフィックパターン要件、等）、且つ／あるいは、何らかの他の適切な要件及び／又はパラメータ）に従って、例えば無線通信ユニット１０８によって、まとめられてよい。
【００３２】
幾つかの実施例では、無線通信ユニット１０８は、アド・トラフィック・ストリーム（Add  Traffic  Stream）（ＡＤＤＴＳ）リクエストフレームの一部として無線通信装置１４４、１４６、１４８、１３４、１３６及び／又は１３８に対応するＴＳＰＥＣ情報を受信する能力を有してよい。無線通信装置から受信されるＡＤＤＴＳフレームは、無線通信装置に対応するＴＳＰＥＣ情報を含む適切なＴＳＰＥＣ情報エレメント（ＩＥ）及び／又はフィールドを含んでよい。他の実施形態では、無線通信ユニット１０８は、何らかの他の適切なフレーム及び／又は通信として且つ／あるいは何らかの他の適切なフォーマットにおいて、ＴＳＰＥＣ情報を受信してよい。
【００３３】
幾つかの実施例では、無線通信ユニット１０８によって受信される無線通信装置に対応するＴＳＰＥＣ情報は、その無線通信装置と無線通信ユニット１０８との間のトラフィックフローを定義するトラフィックフロー情報を含んでよい。無線通信装置に対応するＴＳＰＥＣ情報は、例えば、トラフィックフローのトラフィックパターン、トラフィックフローのクオリティ・オブ・サービス（ＱｏＳ）、且つ／あるいは、トラフィックフローの何らかの他の一連の要件、パラメータ、特性及び／又は期待値を含んでよい。例えば、無線通信ユニット１０８は、無線通信装置１４４と無線通信ユニット１０８との間のトラフィックフローを定義するトラフィックフロー情報（例えば、トラフィックパターン及び／又はＱｏＳ）を含む無線通信装置１４４からの第１のＡＤＤＴＳフレーム、無線通信装置１４６と無線通信ユニット１０８との間のトラフィックフローを定義するトラフィックフロー情報（例えば、トラフィックパターン及び／又はＱｏＳ）を含む無線通信装置１４６からの第２のＡＤＤＴＳフレーム、無線通信装置１４８と無線通信ユニット１０８との間のトラフィックフローを定義するトラフィックフロー情報（例えば、トラフィックパターン及び／又はＱｏＳ）を含む無線通信装置１４８からの第３のＡＤＤＴＳフレーム、無線通信装置１３４と無線通信ユニット１０８との間のトラフィックフローを定義するトラフィックフロー情報（例えば、トラフィックパターン及び／又はＱｏＳ）を含む無線通信装置１３４からの第４のＡＤＤＴＳフレーム、無線通信装置１３６と無線通信ユニット１０８との間のトラフィックフローを定義するトラフィックフロー情報（例えば、トラフィックパターン及び／又はＱｏＳ）を含む無線通信装置１３６からの第５のＡＤＤＴＳフレーム、及び／又は無線通信装置１３８と無線通信ユニット１０８との間のトラフィックフローを定義するトラフィックフロー情報（例えば、トラフィックパターン及び／又はＱｏＳ）を含む無線通信装置１３８からの第６のＡＤＤＴＳフレームを受信してよい。
【００３４】
幾つかの実施例では、無線通信装置から無線通信ユニット１０８によって受信されるＴＳＰＥＣ情報は、その無線通信装置と無線通信ユニット１０８との間のトラフィックフローの方向性を含んでよい。トラフィックフローの方向性は、例えば、トラフィックフローのトラフィックパターンに基づき決定されてよい。例えば、トラフィックフローの方向性は、例えば無線通信装置から無線通信ユニット１０８へのアップリンク送信を含むアップリンクトラフィックフロー、例えば無線通信ユニット１０８から無線通信装置へのダウンリンク送信を含むダウンリンクトラフィックフロー、又は例えばアップリンク送信及びダウンリンク送信を含む双方向トラフィックフローを有してよい。
【００３５】
幾つかの実施例では、トラフィックフローのＱｏＳは、例えば、あるレベルの性能を保証するトラフィックフローの優先タイプを表すＱｏＳパラメータを有してよい。トラフィックフローの優先タイプは、例えば、所定の優先タイプの組から選択されてよい。一例において、トラフィックフローのＱｏＳは、例えば８０２．１１標準及び／又は何らかの他の適切な標準によって定義されるような４つの所定の優先タイプ（例えば、ビデオ優先タイプ、オーディオ（音声）優先タイプ、ベストエフォート優先タイプ、及びバックグラウンド優先タイプ）の組から選択されてよい。
【００３６】
幾つかの実施例では、無線通信装置に対応するトラフィックフローは、例えばトラフィックフローがビデオ及び／又は音声データを含む時間依存のトラフィックフローを含む場合には、等時性トラフィックフローとして、及び／又は、例えばトラフィックフローが時間に依存しない場合（例えば、トラフィックフローがビデオ又は音声データを含まない場合）には、非同期性トラフィックフローとして分類されてよい。
【００３７】
幾つかの実施例では、無線通信ユニット１０８は、無線通信装置１４４、１４６及び／又は１４８を、無線通信装置１４４、１４６及び／又は１４８に対応するトラフィックフローの分類及び／又は方向性に基づき、例えばグループ１４０を含む１又はそれ以上のグループに割り当て、且つ／あるいは、無線通信装置１３４、１３６及び／又は１３８を、無線通信装置１３４、１３６及び／又は１３８に対応するトラフィックフローの分類及び／又は方向性に基づき、例えばグループ１３０を含む１又はそれ以上のグループに割り当ててよい。
【００３８】
幾つかの実施例では、無線通信ユニット１０８は、無線通信装置１３４、１３６、１３８、１４４、１４６及び／又は１４８を、アップリンク等時性グループ、ダウンリンク等時性グループ、双方向等時性グループ、及び／又は双方向非同期性グループに割り当ててよい。他の実施形態では、無線通信ユニット１０８は、無線通信装置１３４、１３６、１３８、１４４、１４６及び／又は１４８を何らかの他の適切なグループに割り当ててよい。
【００３９】
幾つかの実施例では、無線通信ユニット１０８は、無線通信装置１３４、１３６、１３８、１４４、１４６及び／又は１４８の１つを、例えば、その無線通信装置に対応するＴＳＰＥＣ情報がビデオ及び音声データのうち少なくとも一方を含むアップリンクトラフィックパターンを表す場合には、アップリンク等時性グループに割り当ててよく、その無線通信装置に対応するＴＳＰＥＣ情報がビデオ及び音声データのうち少なくとも一方を含むダウンリンクトラフィックパターンを表す場合には、ダウンリンク等時性グループに割り当ててよく、その無線通信装置に対応するＴＳＰＥＣ情報がビデオ及び音声データのうち少なくとも一方を含む双方向トラフィックパターンを表す場合には、双方向等時性グループに割り当ててよく、且つ／あるいは、その無線通信装置に対応するＴＳＰＥＣ情報が他のトラフィックパターンを表す場合には、双方向非同期性グループに割り当ててよい。
【００４０】
幾つかの実施形態が、無線通信装置をその無線通信装置に対応するＴＳＰＥＣ情報に基づきグループに割り当てることを参照して、本願において記載されているが、他の実施形態は、何らかの他の適切な基準に基づきグループに割り当てられる１又はそれ以上の無線通信装置を含んでよい。
【００４１】
幾つかの実施例では、無線通信ユニット１０８は、無線通信装置１４４、１４６及び１４８をグループ１４０に割り当て、グループ１４０を定義する及び／又はグループ１４０に関する適切なグループ割当情報を無線通信装置１４４、１４６及び１４８に提供し、且つ／あるいは、無線通信装置１３４、１３６及び１３８をグループ１３０に割り当て、グループ１３０を定義する及び／又はグループ１３０に関する適切なグループ割当情報を無線通信装置１３４、１３６及び１３８に提供してよい。
【００４２】
幾つかの実施例では、無線通信ユニット１０８は、グループ１４０及び／又は１３０に夫々の無線通信アドレス（「グループアドレス」又は「マルチキャストアドレス」とも呼ばれる。）を割り当ててよい。グループ１４０及び／又は１３０の夫々に割り当てられるグループアドレスは、例えば、適切なメディアアクセスコントロール（ＭＡＣ）アドレス又はマルチキャストアドレスを有してよく、例えば、システム１００、及び／又は無線通信ユニット１０８によって制御及び／又は管理される基本サービスセット（ＢＳＳ）内で、一意に割り当てられてよい。
【００４３】
幾つかの実施例では、無線通信ユニット１０８は、例えば、何らかの適切な伝送、フレーム及び／又はパケットを用いることによって、グループ１４０に割り当てられたグループアドレスを無線通信装置１４４、１４６及び／又は１４８に知らせてよく、且つ／あるいは、グループ１３０に割り当てられたグループアドレスを無線通信装置１３４、１３６及び／又は１３８に知らせてよい。例えば、無線通信ユニット１０８は、無線通信装置１４４、１４６、１４８、１３４、１３６及び／又は１３８への１又はそれ以上のユニキャストフレーム、例えば、無線通信装置１４４へアドレッシングされる第１のグループ割り当てフレーム、無線通信装置１４６へアドレッシングされる第２のグループ割り当てフレーム、無線通信装置１４８へアドレッシングされる第３のグループ割り当てフレーム、無線通信装置１３４へアドレッシングされる第４のグループ割り当てフレーム、無線通信装置１３６へアドレッシングされる第５のグループ割り当てフレーム及び／又は無線通信装置１３８へアドレッシングされる第６のグループ割り当てフレームを送信してよい。第１、第２及び第３のグループ割り当てフレームは、例えばグループ１４０のグループアドレスを含んでよく、第４、第５及び第６のグループ割り当てフレームは、例えばグループ１３０のグループアドレスを含んでよい。
【００４４】
幾つかの実施例では、無線通信ユニット１０８は、例えば何らかの適切な基準に基づき例えば、無線通信装置１４４、１４６、１４８、１３４、１３６及び１３８が、例えば以下で記載されるように、重なり合わない時間期間の間に応答するように、どの順序で無線通信装置１４４、１４６、１４８、１３４、１３６及び／又は１３８が無線通信ユニット１０８からの伝送に応答すべきかを決定してよい。例えば、無線通信装置１４４、１４６、１４８をグループ１４０に割り当てた後、無線通信ユニット１０８は、無線通信ユニット１０８からの伝送後の第１オフセット時間に無線通信装置１４４が無線通信ユニット１０８からの伝送に応答し、無線通信ユニット１０８からの伝送後の第１オフセット時間よりも長い第２オフセット時間に無線通信装置１４６が無線通信ユニット１０８からの伝送に応答し、無線通信ユニット１０８からの伝送後の第２オフセット時間よりも長い第３オフセット時間に無線通信装置１４８が無線通信ユニット１０８からの伝送に応答することを決定してよい。第２及び第１のオフセット時間の間の差及び／又は第３及び第２のオフセット時間の間の差は、例えば、無線通信装置１４４、１４６及び１４８が重なり合わない期間の間に応答することを可能にするよう、少なくとも、無線通信装置１４４及び／又は１４６からの応答の存続期間に等しくなりうる。
【００４５】
幾つかの実施例では、無線通信ユニット１０８は、必要とされる順序のインジケーションを、例えばグループ割り当てフレームに、例えば所定のフィールドの部分（デバイス関連付け識別子（Device  Association  Identifier）（ＡＩＤ）リストフィールド）として含めてよい。例えば、無線通信装置１４４、１４６及び１４８へ送信されるグループ割り当てフレームは、必要とされる順序に従って、無線通信装置１４４、１４６及び１４８を表す値を含んでよい。例えば、グループ割り当てフレームは、例えば、無線通信装置１４６が無線通信装置１４４からの応答よりも前に無線通信ユニット１０８に応答し、無線通信装置１４４が無線通信装置１４８からの応答よりも前に無線通信ユニット１０８に応答する場合に、例えばＡＩＤリストフィールドにおいて、無線通信装置１４６のＭＡＣアドレスを表す値、それに続く無線通信装置１４４のＭＡＣアドレスを表す値、及びそれに続く無線通信装置１４８のＭＡＣアドレスを表す値を含んでよい。
【００４６】
幾つかの実施例では、無線通信装置１４４、１４６及び／又は１４８は夫々、必要とされる順序のインジケーションに基づき、無線通信ユニット１０８に応答すべき順序を決定してよい。
【００４７】
幾つかの実施例では、無線通信装置１４４、１４６及び／又は１４８は、例えば、無線通信ユニット１０８が応答を受信することができるように無線通信装置１４４、１４６及び／又は１４８が応答の送信をスケジューリングすることを可能にするために、無線通信ユニット１０８からの送信のデータレートに等しいデータレートで応答を送信してよい。
【００４８】
他の実施形態では、無線通信装置１４４、１４６及び／又は１４８は、無線通信ユニット１０８との通信のために選択された所定のデータレートで応答を送信してよい。一例において、無線通信装置１４４、１４６及び／又は１４８は、システム１００における通信のために実施されるデータレートの所定の組、例えば、８０２．１１標準によって定義されるＢＳＳＢａｓｉｃＲａｔｅＳｅｔ、から選択されるデータレートで応答を送信してよい。例えば、無線通信装置１４４、１４６及び／又は１４８は、無線通信ユニット１０８から受信された直前のフレームのレート以下であるＢＳＳＢａｓｉｃＲａｔｅＳｅｔの最も高いデータレートで、応答を送信してよい。
【００４９】
幾つかの実施例では、無線通信ユニット１０８は、例えば、グループ１４０を定義する及び／又はグループ１４０に関する情報を無線通信装置１４４、１４６及び／又は１４８に直接提供することなしに、且つ／あるいは、グループ１３０を定義する及び／又はグループ１３０に関する情報を無線通信装置１３４、１３６及び／又は１３８に直接提供することなしに、無線通信装置１４４、１４６及び／又は１４８をグループ１４０へ割り当て、無線通信装置１３４、１３６及び／又は１３８をグループ１３０へ割り当ててよい。この例に従って、無線通信ユニット１０８は、グループ１４０及び／又は１３０の無線通信装置へのダウンリンク伝送を同時に送信してよく、一方、例えば、グループ１４０及び／又は１３０の無線通信装置の１又はそれ以上が無線通信ユニット１０８へアップリンクＳＤＭＡ伝送を送信することができず、且つ／あるいは、送信するよう求められない場合に、１又はそれ以上の無線通信装置は夫々、グループ１４０及び／又は１３０の他の無線通信装置への同時の送信に気付かなくてよい。例えば、無線通信ユニット１０８は、無線通信装置、例えば装置１４８へダウンリンクＳＤＭＡ伝送を送信してよく、一方、無線通信装置１４８は、例えば、無線通信装置１４８が無線通信ユニット１０８へアップリンクＳＤＭＡ伝送を送信することができず、且つ／あるいは、送信するよう求められない場合には、そのダウンリンク伝送がダウンリンク伝送であるという事実に気付かなくてよい。
【００５０】
幾つかの実施例では、無線通信ユニット１０８は、例えば、何らかの適切な電力管理スキーム（例えば、パワーセーブ・マルチポール（Power  Save  Multi-Poll）（ＰＳＭＰ）スキーム）等に従って、グループ１３０及び／又は１４０のグループ（「スケジューリングされたグループ」）の無線通信装置と無線通信ユニット１０８との間の同時のアップリンク及び／又はダウンリンク伝送をスケジューリングしてよい。
【００５１】
幾つかの実施例では、無線通信ユニット１０８は、１又はそれ以上のアップリンク及びダウンリンク時間期間を定義する少なくとも１つのスケジューリングフレームを、例えば以下で記載されるように、スケジューリングされたグループの無線通信装置へ送信してよい。
【００５２】
幾つかの実施例では、スケジューリングフレームは、何らかの適切な電力管理制御フレーム（例えば、ＰＳＭＰ起動フレーム）等を含んでよい。スケジューリングフレームは、例えば以下で記載されるように、無線通信ユニット１０８がスケジューリングされたグループの無線通信装置へ同時の伝送を送信することができる少なくとも１つのダウンリンク送信期間（例えば、ＰＳＭＰダウンリンク送信（ＰＳＭＰ−ＤＴＴ）期間）、及び／又は無線通信ユニット１０８がスケジューリングされたグループの無線通信装置から例えば順次に及び／又は同時にアップリンク通信を受信することができる少なくとも１つのアップリンク送信期間（例えば、ＰＳＭＰアップリンク送信（ＰＳＭＰ−ＵＴＴ）期間）をスケジューリングしてよい。
【００５３】
幾つかの実施例では、無線通信ユニット１０８は、例えば、スケジューリングされたグループの１又はそれ以上の無線通信装置でパワーセーブ期間のスケジューリングを例えばダウンリンク及び／又はアップリンク送信間で管理するよう、電力管理スキームの一部としてスケジューリングフレームを使用してよい。例えば、無線通信ユニット１０８は、グループ１４０の無線通信装置に、１又はそれ以上のスケジューリングされたダウンリンク期間の間、グループ１４０の無線通信装置が無線通信ユニット１０８から通信を受信することができるパワーモード（例えば、レギュラーパワーモード）で動作するよう指示し、且つ／あるいは、グループ１４０の無線通信装置に、グループ１４０の無線通信装置が無線通信ユニット１０８へアップリンク伝送を送信することを可能にされる１又はそれ以上のアップリンク期間を知らせるスケジューリングフレームを、グループ１４０の無線通信装置へ送信してよい。一例において、無線通信ユニット１０８は、例えば何らかの適切な基準時間点を参照して５ミリ秒（ｍｓ）内に始まり、且つ１０ｍｓ続くダウンリンク期間、及び／又は６０ｍｓ内に始まり且つ２０ｍｓ続くアップリンク期間を定義するスケジューリングフレームを、グループ１４０の無線通信装置へ送信してよい。この例に従って、無線通信装置１４４、１４６及び／又は１４８は、１５秒から６０秒の時間期間の間はパワーセーブモードに切り替わってよい。スケジューリングされたグループの１又はそれ以上の無線通信装置は、例えば、パワーセーブ期間の前又はその終了時に、レギュラーパワーモードに戻ってよい。
【００５４】
幾つかの実施例では、無線通信ユニット１０８は、２又はそれ以上のグループ、例えばグループ１３０及び１４０に対応するアップリンク及び／又はダウンリンク期間をスケジューリングするよう、１又はそれ以上のスケジューリングフレームを送信してよい。一実施形態において、無線通信ユニット１０８は、グループ１３０及び１４０のために異なったアップリンク及び／又はダウンリンク期間をスケジューリングするよう、共通のスケジューリングフレームを送信してよい。例えば、スケジューリングフレームは、グループ１３０のためにスケジューリングされた第１のアップリンク及び／又はダウンリンク期間のインジケーションに関連付けられるグループ１３０のインジケーション（例えば、グループ１３０に割り当てられたグループアドレス）と、グループ１４０のためにスケジューリングされた第１のアップリンク及び／又はダウンリンク期間のインジケーションに関連付けられるグループ１４０のインジケーション（例えば、グループ１４０に割り当てられたグループアドレス）とを含んでよい。他の実施形態では、無線通信ユニット１０８は、異なったスケジューリングされた同時のダウンリンク及び／又はアップリンク期間の異なったグループを無線通信装置に知らせるよう、無線通信装置の異なったグループの無線通信装置へ異なったスケジューリングフレームを送信してよい。例えば、無線通信ユニット１０８は、グループ１４０のためのダウンリンク及び／又はアップリンク期間を定義するグループ１４０の無線通信装置１４４、１４６及び１４８への第１スケジューリングフレーム、及び／又はグループ１３０のためのダウンリンク及び／又はアップリンク期間を定義するグループ１３０の無線通信装置１３４、１３６及び１３８への第２スケジューリングフレームを送信してよい。
【００５５】
ここで図２を参照すると、幾つかの実施形態に従うＰＳＭＰフレーム２００の構成要素が図式的に表されている。幾つかの実施形態において、フレーム２００の１又はそれ以上の構成要素は、無線通信ユニット１０８（図１）によって送信されるスケジューリングフレームの一部として、例えばＰＳＭＰスキームの一部として、含まれてよい。
【００５６】
幾つかの実施例では、図２に示される構成要素は、何らかの適切なフレーム、パケット及び／又は伝送の一部として、例えばＰＳＭＰフレームのデータ部分として、送信されてよい。
【００５７】
幾つかの実施例では、ＰＳＭＰフレーム２００は、適切なＳＴＡ＿ＩＮＦＯＲタイプフィールド２０２を含んでよい。
【００５８】
幾つかの実施例では、ＰＳＭＰフレーム２００は、例えば何らかの適切な基準時間を参照してＰＳＭＰ−ＤＴＴ期間の開始の時間を示すよう、ＰＳＭＰダウンリンク送信（ＰＳＭＰ−ＤＴＴ）開始オフセットフィールド２０４を含んでよい。例えば、無線通信ユニット１０８（図１）は、グループ１４０の無線通信装置１４４、１４６及び１４８（図１）についてスケジューリングされた同時のＰＳＭＰ−ＤＴＴ期間が１０ｍｓにおいて始まることを示す値を有するＰＳＭＰ−ＤＴＴ開始オフセットフィールド２０４を含むＰＳＭＰＴフレーム２００を無線通信装置１４４、１４６及び１４８へ送信してよい。
【００５９】
幾つかの実施例では、ＰＳＭＰフレーム２００は、ＰＳＭＰ−ＤＴＴ期間の存続期間を示すよう、ＰＳＭＰ−ＤＴＴ存続期間フィールド２０６を含んでよい。例えば、ＰＳＭＰ−ＤＴＴ存続期間フィールド２０６における６の値は、グループ１４０の無線通信装置１４４、１４６及び１４８（図１）についてスケジューリングされたＰＳＭＰ−ＤＴＴが６ｍｓの間続くことを示してよい。
【００６０】
幾つかの実施例では、ＰＳＭＰフレーム２００は、少なくとも１つのＰＳＭＰ−ＵＴＴ期間の開始の時間を示すよう、少なくとも１つのアップリンク送信（ＰＳＭＰ−ＵＴＴ）開始オフセットフィールド２１０を含んでよい。例えば、無線通信ユニット１０８（図１）は、グループ１４０の無線通信装置１４４、１４６及び１４８（図１）がアップリンクＳＤＭＡ送信をサポートする場合に、無線通信装置１４４、１４６及び１４８からの送信のためのＰＳＭＰ−ＵＴＴ期間が１０ｍｓにおいて始まることを示すＰＳＭＰ−ＵＴＴ開始オフセットフィールド２１０を含むＰＳＭＰフレーム２００を無線通信装置１４４、１４６及び１４８へ送信してよい。代替的に、無線通信ユニット１０８（図１）は、例えば、無線通信装置１４４、１４６及び１４８（図１）がアップリンクＳＤＭＡ送信をサポートしない場合には、無線通信装置１４４、１４６及び１４８の夫々へ、例えば、無線通信装置１４４、１４６及び１４８の夫々が重なり合わない時間期間の間にＰＳＭＰ−ＵＴＴを実行することができるように、異なったＰＳＭＰ−ＵＴＴ開始オフセット値を含むＰＳＭＰフレーム２００を送信してよい。
【００６１】
幾つかの実施例では、ＰＳＭＰフレーム２００は、少なくとも１つのＰＳＭＰ−ＵＴＴ期間の存続期間を示すよう、少なくとも１つのＰＳＭＰ−ＵＴＴ存続期間フィールド２１２を含んでよい。例えば、ＰＳＭＰ−ＵＴＴ存続期間フィールド２１２における６の値は、ＰＳＭＰ−ＵＴＴ期間が６ｍｓの間続くようスケジューリングされることを示してよい。
【００６２】
幾つかの実施例では、ＰＳＭＰフレーム２００は、ＰＳＭＰフレーム２００を受信するよう意図される１又はそれ以上の無線通信装置を特定するよう、アドレスフィールド２０８（「受信機アドレスフィールド」とも呼ばれる。）を含んでよい。
【００６３】
一実施形態において、フィールド２０８は、例えば、無線通信ユニット１０８（図１）がブロードキャスト伝送の一部として無線通信装置のグループへフレーム２００を送信する場合には、例えば上述されたように、スケジューリングされたグループへ割り当てられたグループアドレス又はマルチキャストアドレスに相当してよい。一例において、フィールド２０８は４３ビットのサイズを有してよく、無線通信ユニット１０８（図１）は、スケジューリングされたグループに割り当てられたグループＭＡＣアドレスの４３ビット（例えば、４３の最下位ビット（ＬＳＢ））をフィールド２０８に含めてよい。
【００６４】
他の実施形態では、ＰＳＭＰグループアドレスＩＤ２０８は、例えば、無線通信ユニット１０８（図１）がユニキャスト伝送の一部として単一の無線通信装置へフレーム２００を送信する場合には、特定の無線通信装置、例えば、ＰＳＭＰフレーム２００を受信するよう意図された無線通信装置１４４のユニキャストアドレスに相当してよい。例えば、無線通信ユニット１０８（図１）は、無線通信装置１４４、１４６及び１４８（図１）に夫々アドレッシングされたフレーム２００を含む３つのユニキャスト伝送を送信してよい。
【００６５】
他の実施形態では、ＰＳＭＰフレーム２００は、複数のグループに対応する複数のグループアドレス、例えば、グループ１３０及び１４０に夫々対応する２つのグループアドレスを含むＩＤフィールド２０８を含んでよい。この実施形態に従って、ＰＳＭＰフレーム２００は、複数のグループのうち第１のグループについてスケジューリングされた１又はそれ以上のＰＳＭＰ  ＤＴＴ及び／又はＵＴＴ期間を定義するＰＳＭＰ−ＤＴＴ及び／又はＰＳＭＰ−ＵＴＴ値の第１の組、それに続く、複数のグループのうち第２のグループについてスケジューリングされた１又はそれ以上のＰＳＭＰ  ＤＴＴ及び／又はＵＴＴ期間を定義するＰＳＭＰ−ＤＴＴ及び／又はＰＳＭＰ−ＵＴＴ値の第２の組、等を含んでよい。
【００６６】
幾つかの実施例では、ＰＳＭＰフレーム２００は、何らかの適切な追加情報を含むよう、予備フィールドを含んでよい。
【００６７】
幾つかの実施例では、フィールド２１０及び２１２は、例えば、スケジューリングされたグループの無線通信装置がアップリンクＳＤＭＡ送信をサポートする場合に、スケジューリングされたグループの無線通信装置が同時にアップリンク送信を実行することができる共通のＰＳＭＰ  ＵＴＴ期間を定義してよい。例えば、無線通信ユニット１０８（図１）は、例えば無線通信装置１４４、１４６及び／又は１４８（図１）がアップリンクＳＤＭＡ送信をサポートする場合に、無線通信装置１４４、１４６及び／又は１４８（図１）から無線通信ユニット１０８（図１）への送信のためにスケジューリングされた少なくとも１つのＰＳＭＰ−ＵＴＴ期間を定義するフィールド２１０及び２１２を含むＰＳＭＰスケジューリングフレーム２００を無線通信装置１４４、１４６及び／又は１４８へ送信してよい。
【００６８】
幾つかの実施例では、フィールド２１０及び２１２は、例えば、スケジューリングされたグループの無線通信装置がアップリンクＳＤＭＡ送信をサポートしない場合には、スケジューリングされたグループの無線通信装置がアップリンク送信を順次実行することができる複数のＰＳＭＰ  ＵＴＴ期間を定義してよい。例えば、無線通信ユニット１０８（図１）は、例えば、グループ１３０の無線通信装置１３４、１３６及び／又は１３８（図１）がアップリンクＳＤＭＡ送信をサポートしない場合に、複数のＰＳＭＰ  ＵＴＴ期間がグループ１３０の無線通信装置１３４、１３６及び／又は１３８にスケジューリングされるべき順序を定義してよい。無線通信ユニット１０８（図１）は、例えば上述されたように、例えばＡＩＤリストフィールドを用いて、順序を定義してよい。無線通信ユニット１０８（図１）は、例えばＡＩＤリストに従って決定されたグループ１３０（図１）の第１の装置による送信のためにスケジューリングされた第１のＰＳＭＰ  ＵＴＴ期間の開始及び存続期間を定義するフィールド２１０及び２１２を含むＰＳＭＰスケジューリングフレーム２００を無線通信装置１３４、１３６及び／又は１３８（図１）へ送信してよい。例えばＡＩＤリストに従ってグループ１３０の第２の装置による送信のためにスケジューリングされた第２のＰＳＭＰ  ＵＴＴ期間は、第１のＰＳＭＰ  ＵＴＴ期間の後に始まってよく、且つ、フィールド２１０によって示される存続間の間続いてよい。以降同様に続く。
【００６９】
幾つかの実施例では、無線通信ユニット１０８（図１）は、スケジューリングされたグループの無線通信装置へＰＳＭＰフレーム２００の構成要素の一部又は全てを送信してよい。例えば、無線通信ユニット１０８（図１）は、例えば無線通信装置が無線通信ユニット１０８へのアップリンク送信を実行するようスケジューリングされていない場合に、ＰＳＭＰ−ＤＴＴ開始オフセットフィールド２０４、ＰＳＭＰ−ＤＴＴ存続期間フィールド２０６及びＰＳＭＰグループアドレス２０８を含むがフィールド２１０及び／又は２１２を含まないＰＳＭＰフレーム２００を無線通信装置へ送信してよい。
【００７０】
ここで図３を参照すると、幾つかの実施例に従って、無線通信装置（例えば、無線通信装置１０２（図１）及び／又は無線通信ユニット１０８（図１））と他の無線通信装置の１又はそれ以上のグループ（例えば、グループ１４０及び／又は１３０（図１））との間の送信のシーケンス３００が図式的に表されている。
【００７１】
図３に示されるように、タイムライン３０４は無線通信装置（例えば、無線通信ユニット１０８（図１））による送信を含み、タイムライン３０６は第１のグループの第１の無線通信装置（例えば、グループ１４０の無線通信装置１４４（図１））による送信を含み、タイムライン３０８は、第１のグループの第２の無線通信装置（例えば、グループ１４０の無線通信装置１４６（図１））による送信を含み、タイムライン３１０は、第２のグループの第１の無線通信装置（例えば、グループ１３０の無線通信装置１３４（図１））による送信を含み、タイムライン３１２は、第２のグループの第２の無線通信装置（例えば、グループ１３０の無線通信装置１３６（図１））による送信を含む。
【００７２】
幾つかの実施例では、無線通信ユニット１０８（図１）は、少なくとも１つの同時のダウンリンク送信期間３１３及び／又は少なくとも１つのアップリンク送信期間３１５を第１のグループの無線通信装置についてスケジューリングするよう、第１のＰＳＭＰスケジューリングフレーム３２０を第１のグループの２又はそれ以上の無線通信装置へ送信してよい。幾つかの実施形態に従って、ＰＳＭＰフレーム３２０は、ＰＳＭＰフレーム２００（図２）の構成要素の一部又は全てを含んでよい。
【００７３】
幾つかの実施例では、無線通信ユニット１０８（図１）は、期間３１３の間、ダウンリンク伝送３２２を第１のグループの２又はそれ以上の無線通信装置へ同時に送信してよい。例えば、ダウリンク伝送３２２は、ダウンリンクＳＤＭＡ伝送の形で送信されてよい。例えば、無線通信ユニット１０８（図１）は、２又はそれ以上の異なったダウンリンク伝送３２２を第１のグループの２又はそれ以上の無線通信装置へ、例えば、無線通信装置１４４、１４６及び１４８（図１）のうち２又はそれ以上へ、同時に送信してよい。
【００７４】
幾つかの実施例では、第１のグループの２又はそれ以上の無線通信装置は、期間３１５の間、夫々、アップリンク伝送３２８及び３３０を無線通信ユニット１０８（図１）へ同時に送信してよい。例えば、伝送３２８及び３３０は、アップリンクＳＤＭＡ伝送の形で送信されてよい。
【００７５】
幾つかの実施例では、無線通信ユニット１０８（図１）は、例えば、グループ（例えば、第２のグループ）の２又はそれ以上の無線通信装置がアップリンクＳＤＭＡ送信をサポートしない場合に、それらの２又はそれ以上の無線通信装置がアップリンク伝送を無線通信ユニット１０８へ順次送信することができる１又はそれ以上の順次的なアップリンク送信期間をスケジューリングしてよい。
【００７６】
幾つかの実施例では、無線通信ユニット１０８（図１）は、少なくとも１つの同時のダウンリンク送信期間３１７及び／又はアップリンク送信期間３１９及び／又は３２１を第２のグループの無線通信装置についてスケジューリングするよう、第２のＰＳＭＰスケジューリングフレーム３２４を第２のグループの２又はそれ以上の無線通信装置へ送信してよい。幾つかの実施形態に従って、ＰＳＭＰフレーム３２４は、ＰＳＭＰフレーム２００（図２）の構成要素の一部又は全てを含んでよい。
【００７７】
幾つかの実施例では、無線通信ユニット１０８（図１）は、期間３１７の間、ダウンリンク伝送３２６を第２のグループの２又はそれ以上の無線通信装置へ同時に送信してよい。例えば、ダウンリンク伝送３２６は、ダウンリンクＳＤＭＡ伝送の形で送信されてよい。例えば、無線通信ユニット１０８（図１）は、２又はそれ以上の異なったダウンリンク伝送３２６を第２のグループの２又はそれ以上の無線通信装置へ、例えば、無線通信装置１３４、１３６及び１３８（図１）のうち２又はそれ以上へ、同時に送信してよい。
【００７８】
幾つかの実施例では、第２のグループの２又はそれ以上の無線通信装置、例えば、グループ１３０の無線通信装置１３４及び／又は１３６（図１）は、夫々、重なり合わない時間期間３１９及び３２１の間、アップリンクＳＤＭＡ伝送３３２及び３３４を無線通信ユニット１０８（図１）へ送信してよい。
【００７９】
幾つかの実施例では、無線通信ユニット１０８（図１）は、例えば、他の通信が予備時間期間の間に実行されないことを確かにするよう、少なくともスケジューリングフレームの伝送期間並びにスケジューリングされたアップリンク及び／又はダウンリンク伝送期間を含む時間期間（「予備時間期間」）の間、無線通信媒体をリザーブしてよい。
【００８０】
幾つかの実施例では、無線通信ユニット１０８（図１）は、少なくとも１つの送信要求（Request-To-Send）（ＲＴＳ）パケット３０１を、例えばフレーム３２０を送信する前に、スケジューリングされたグループ（例えば、グループ１４０（図１））の１又はそれ以上の無線通信装置へ送信することによって、無線通信媒体をリザーブしてよい。ＲＴＳパケット３０１は、リザーブされる時間期間に対応する存続期間値を含んでよい。例えば、ＲＴＳパケットの存続期間フィールドは、フレーム３２０の送信期間並びに期間３１３及び３１５を含む時間期間を表す値を含むよう、無線通信ユニット１０８（図１）によって設定されてよい。無線通信ユニット１０８（図１）は、例えばＲＴＳパケット３０１に応答して、スケジューリングされたグループの無線通信装置のうち少なくとも１つから少なくとも１つの送信可能通知（Clear-to-Send）（ＣＴＳ）パケットを受信してよい。例えば、無線通信ユニット１０８（図１）は、無線通信装置１３４及び／又は１３６（図１）から夫々ＣＴＳパケット３０３及び／又は３０５を受信してよい。図３に示されるように、一実施形態において、無線通信ユニット１０８（図１）は、例えばアップリンクＳＤＭＡ伝送の一部として、ＣＴＳパケット３０３及び／又は３０５を同時に受信してよい。他の実施形態では、無線通信ユニット１０８（図１）は、例えば上述されたように、例えばＡＩＤリストによって定義された順序で、ＣＴＳパケット３０３及び／又は３０５を順次受信してよい。
【００８１】
図４を参照すると、幾つかの実施形態に従って、無線通信装置のグループとの通信をスケジューリングする方法が図式的に表されている。
【００８２】
幾つかの実施例では、図４の方法の動作のうち１又はそれ以上は、無線通信装置（例えば、無線通信装置１０２（図１））、無線通信ユニット（例えば、無線通信ユニット１０８（図１））及び／又はネットワーク内の送信を協調させることができるいずれかの他の無線通信装置によって、実行されてよい。
【００８３】
ブロック４０２で示されるように、方法は、無線通信装置を少なくとも１つのグループへ割り当てるステップを有してよい。例えば、無線通信ユニット１０８（図１）は、例えば上述されたように、無線通信装置１４４、１４６及び／又は１４８（図１）をグループ１４０へ、且つ／あるいは、無線通信装置１３４、１３６及び／又は１３８（図１）をグループ１３０へ割り当ててよい。
【００８４】
ブロック４２０で示されるように、無線通信装置を少なくとも１つのグループへ割り当てるステップは、その無線通信装置に対応するＴＳＰＥＣ情報に基づき無線通信装置を割り当てるステップを含んでよい。例えば上述されたように、無線通信装置１４４、１４６及び／又は１４８は、無線通信装置１４４、１４６及び／又は１４８に対応するＴＳＰＥＣ情報に基づきグループ１４０へ割り当てられ、無線通信装置１３４、１３６及び／又は１３８は、無線通信装置１３４、１３６及び／又は１３８に対応するＴＳＰＥＣ情報に基づきグループ１３０へ割り当てられる。
【００８５】
ブロック４２２で示されるように、方法は、グループに対応する情報を、そのグループに割り当てられる無線通信装置へ供給するステップを有してよい。例えば、無線通信ユニット１０８（図１）は、例えば上述されたように、１又はそれ以上の割り当てフレームを無線通信装置１３４、１３６、１３８、１４４、１４６及び／又は１４８（図１）へ送信してよい。
【００８６】
ブロック４０４で示されるように、方法は、スケジューリングされたグループの無線通信装置との通信のために１又はそれ以上の通信期間をスケジューリングするステップを有してよい。例えば、無線通信ユニット１０８（図１）は、例えば上述されたように、グループ１３０（図１）のための１若しくはそれ以上のＰＳＭＰ−ＤＴＴ及び／又はＰＳＭＰ−ＵＴＴ期間、及び／又はグループ１４０（図１）のための１若しくはそれ以上のＰＳＭＰ−ＤＴＴ及び／又はＰＳＭＰ−ＵＴＴ期間をスケジューリングしてよい。
【００８７】
ブロック４２４で示されるように、通信期間をスケジューリングするステップは、通信期間に対応する存続期間の間無線通信媒体をリザーブするステップを有してよい。例えば、無線通信ユニット１０８（図１）は、例えば上述されたように、スケジューリングされたグループの少なくとも１つの無線通信装置へＲＴＳパケット３０１（図３）を送信し、且つ／あるいは、スケジューリングされたグループの１又はそれ以上の無線通信装置からＣＴＳパケット３０３及び／又は３０５（図３）を受信してよい。
【００８８】
ブロック４１０で示されるように、通信期間をスケジューリングするステップは、少なくとも１つのスケジューリングフレームをスケジューリングされたグループへ送信するステップを有してよい。例えば、無線通信ユニット１０８（図１）は、例えば上述されたように、グループ１３０（図１）について通信期間をスケジューリングするよう、グループ１３０の１又はそれ以上の無線通信装置へＰＳＭＰスケジューリングフレーム２００（図２）を送信してよい。
【００８９】
ブロック４２６で示されるように、スケジューリングフレームを送信するステップは、スケジューリングされたグループのインジケーションを送信するステップを有してよい。例えば、無線通信ユニット１０８（図１）は、例えば上述されたように、グループ１３０（図１）へ割り当てられたグループアドレスを含むＰＳＭＰフレーム２００（図２）を送信してよい。
【００９０】
ブロック４２８で示されるように、スケジューリングフレームを送信するステップは、少なくとも１つのダウンリンク期間、例えば、ＳＤＭＡダウンリンク送信期間のインジケーションを送信するステップを有してよい。例えば、無線通信ユニット１０８（図１）は、例えば上述されたように、少なくとも１つのＰＳＭＰ−ＤＴＴ期間を定義する値を含むＰＳＭＰ−ＤＴＴ存続期間フィールド及び／又はＰＳＭＰ−ＤＴＴ開始オフセットフィールドを含むフレーム２００（図１）を送信してよい。
【００９１】
ブロック４３０で示されるように、スケジューリングフレームを送信するステップは、少なくとも１つのアップリンク期間のインジケーションを送信するステップを有してよい。例えば、無線通信ユニット１０８（図１）は、例えば上述されたように、少なくとも１つのＰＳＭＰ−ＵＴＴ期間を定義する値を含むＰＳＭＰ−ＵＴＴ存続期間フィールド及び／又はＰＳＭＰ開始オフセットフィールドを含むフレーム２００（図２）を送信してよい。
【００９２】
ブロック４１２で示されるように、方法は、スケジューリングされた通信期間の１又はそれ以上の間に通信を行うステップを有してよい。
【００９３】
ブロック４３２で示されるように、スケジューリングされた通信期間の１又はそれ以上の間に通信を行うステップは、ダウンリンク期間の間、無線通信ユニットからスケジューリングされたグループの２又はそれ以上の夫々の無線通信装置へ２又はそれ以上の異なった無線通信伝送を同時に送信するステップを有してよい。例えば、無線通信ユニット１０８（図１）は、例えば上述されたように、異なったダウンリンク伝送３２０（図３）をスケジューリングされたグループの２又はそれ以上の無線通信装置へ同時に送信してよい。
【００９４】
ブロック４３４で示されるように、スケジューリングされた通信期間の１又はそれ以上の間に通信を行うステップは、アップリンク期間の間に無線通信伝送を受信するステップを有してよい。例えば、無線通信ユニット１０８（図１）は、例えば上述されたように、スケジューリングされたグループの２又はそれ以上の無線通信装置から同時のアップリンク伝送３２８及び３３０（図３）並びに／又は順次的なアップリンク伝送３３２及び３３４（図３）を受信してよい。
【００９５】
図５を参照すると、幾つかの実施形態に従う製品５００が図式的に表されている。製品５００は、例えば、無線通信ユニット１０８（図１）及び／又は無線通信装置１０２（図１）の機能の少なくとも一部を実行するために且つ／あるいは図４の方法の１又はそれ以上の動作を実行するために使用されるロジック５０４を記憶するよう、機械により読出可能な記憶媒体５０２を有してよい。
【００９６】
幾つかの実施例では、製品５００及び／又は機械読出可能な記憶媒体５０２は、揮発性メモリ、不揮発性メモリ、リムーバブル又は非リムーバブルメモリ、消去可能又は消去不可能メモリ、書込可能又は書換可能メモリ等を含む、データを記憶可能な１又はそれ以上のタイプのコンピュータ可読記憶媒体を有してよい。例えば、機械読出可能な記憶媒体５０２は、ＲＡＭ、ＤＲＡＭ、ダブルデータレート（Double-Data-Rate）ＤＲＡＭ（ＤＤＲ−ＤＲＡＭ）、ＳＤＲＡＭ、静的ＲＡＭ（ＳＲＡＭ）、ＲＯＭ、プログラム可能ＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、コンパクトディスクＲＯＭ（ＣＤ−ＲＯＭ）、書込可能コンパクトディスク（ＣＤ−Ｒ）、書換可能コンパクトディスク（ＣＤ−ＲＷ）、フラッシュメモリ（例えば、ＮＯＲ又はＮＡＮＤフラッシュメモリ）、内容アドレスメモリ（content  addressable  memory）（ＣＡＭ）、ポリマーメモリ、相変化メモリ、強誘電体メモリ、ＳＯＮＯＳ（silicon-oxide-nitride-oxide-silicon）メモリ、ディスク、フロッピー（登録商標）ディスク、ハードドライブ、光ディスク、磁気ディスク、カード、磁気カード、光カード、テープ、カセット等を有してよい。コンピュータ可読記憶媒体は、通リンク（例えば、モデム、無線又はネットワーク接続）を介して搬送波又は他の伝播媒体において具現されるデータ信号によって搬送される、遠隔のコンピュータから要求元のコンピュータへのコンピュータプログラムのダウンロード又は送信と関係がある如何なる適切な媒体も有してよい。
【００９７】
幾つかの実施例では、ロジック５０４は、機械によって実行される場合にその機械に本願で記載される方法、処理及び／又は動作を実行させる命令、データ及び／又はコードを有してよい。機械は、例えば、あらゆる適切な処理プラットフォーム、コンピュータプラットフォーム、コンピュータ装置、処理装置、コンピュータシステム、処理システム、コンピュータ、プロセッサ等を有してよく、且つ、ハードウェア、ソフトウェア、ファームウェア等のあらゆる適切な組み合わせにより実施されてよい。
【００９８】
幾つかの実施例では、ロジック５０４は、ソフトウェア、ソフトウェアモジュール、アプリケーション、プログラム、サブルーチン、命令、命令セット、コンピュータコード、ワード、値、シンボル等を含んでよく、あるいは、そのようなものとして実施されてよい。命令は、ソースコード、コンパイル済みコード、解読済みコード、実行可能コード、静的コード、動的コード等のあらゆる適切なタイプのコードを有してよい。命令は、ある機能を実行するようプロセッサに命令するために、所定のコンピュータ言語、様式又はシンタックスに従って実施されてよい。命令は、Ｃ、Ｃ＋＋、Ｊａｖａ（登録商標）、ＢＡＳＩＣ、Ｍａｔｌａｂ、Ｐａｓｃａｌ、Ｖｉｓｕａｌ  ＢＡＳＩＣ、アセンブリ言語、機械コード等のあらゆる適切な高度の、低度の、オブジェクト指向の、視覚的な、コンパイルされた及び／又は解読されたプログラム可能言語を用いて実施されてよい。
【００９９】
１又はそれ以上の実施形態を参照して本願において記載される機能、動作、構成要素及び／又は特徴は組み合わされてよく、あるいは、１又はそれ以上の他の実施形態を参照して本願において記載される１又はそれ以上の他の機能、動作、構成要素及び／又は特徴と組み合わせて利用されてよい。また、その逆も同様である。
【０１００】
本発明の特定の特徴が本願において例示及び記載されてきたが、多くの改良、置換、変更及び均等が当業者に想到可能である。よって、当然のことながら、添付の特許請求の範囲は、本発明の技術的範囲内にある全ての改良及び変更を網羅するよう意図される。
【図１】
2013514724.tif 000003
【図２】
2013514724.tif 000004
【図３】
2013514724.tif 000005
【図４】
2013514724.tif 000006
【図５】
2013514724.tif 000007
【国際調査報告】
2013514724.tif 000008
2013514724.tif 000009